(57)【特許請求の範囲】
【請求項１】
コラム（３）と、部屋内の床（２８）に載せるためのスタンドフット（１）と、スタンドフット（１）の一部をなしかつ少なくとも１つのウェイト（９）を取り付けたないし取り付け可能な少なくとも１つのスタンドフット本体部（２）と、前記ウェイト（９）を固定するための固定手段（５、６、７、１０、１２）とを有するスタンドであって、
該固定手段が、少なくとも１つのウェイトを保持する組み立てリテーナー（１０）と、使用位置において床（２８）に向いた側でスタンドフット本体部（２ａ；２ｂ；２ｄ；２ｅ）の、キャビティを閉じることができるようにする締結手段（５、６、７、１２）とを含み、
該締結手段の操作部が該スタンドフット本体部（２ａ、２ｂ、２ｄ、２ｅ）の床から離れる方向に向いた側に配置されること、
該組み立てリテーナー（１０ａ；１０ｄ）に少なくとも１つのウェイト（９ａ〜ｄ；９ｉ〜ｌ）を位置決めできること、
該スタンドフット本体部（２ａ；２ｂ；２ｄ；２ｅ）が、少なくとも１つのキャビティを有する中空本体を備え、該少なくとも１つのキャビティを囲む、キャビティの境界を構成するための少なくとも２つの壁が、締結作業中にウェイト（９ａ〜ｄ；９ｉ〜ｌ）を位置決めするための２つの異なった壁面として構成されていること、を特徴とするスタンド。
【請求項２】
前記２つの壁のうちの少なくとも１つの壁の、ウェイト（９ａ〜ｄ；９ｉ〜ｌ）に向いた側でかつ、使用位置において床（２８）に向く側が、床に向かって円錐形に拡大するように構成されていること、および／または、
前記壁の少なくとも１つおよび／または組み立てリテーナー（１０ａ；１０ｂ；１０ｄ）が弾性膜（２２ａ〜ｍ）によってコーティングされていること、
を特徴とする、請求項１記載のスタンド。
【請求項３】
締結手段の操作部がスタンドフット本体部（２ａ；２ｂ；２ｄ）の床から離れる方向に向いた側に配置され、
該締結手段が、少なくとも１本のナット／ボルト接合手段（７、１２ａ；１２ｆ）を備え、この接合手段がスタンドフット本体（２ａ；２ｂ；２ｄ）を貫通し、スタンドフット本体を組み立てリテーナー（１０ａ；１０ｂ；１０ｄ）にネジ接合可能にしていること、
を特徴とする、請求項１又は２に記載のスタンド。
【請求項４】
多数のウェイト（９ａ〜ｄ；９ｉ〜ｌ）が設けられており、スタンドフット本体部（２ａ；２ｂ；２ｄ）の中心に、ナット／ボルト接合手段（７、１２ａ；１２ｆ）が配置され、かつ該中心と同心にウェイト（９ａ〜ｄ；９ｉ〜ｌ）が配置されていること、
を特徴とする請求項３記載のスタンド。
【請求項５】
ナット／ボルト接合手段（７、１２ａ；１２ｆ）が自動ロック構造体であるか、またはこれに回転ロックが設けられていること、
を特徴とする請求項３または４記載のスタンド。
【請求項６】
スタンドフット本体部（２ａ；２ｂ；２ｄ）が星形の支持アームを有する構造となっていること、
各アームが少なくとも１つのウェイト（９ａ〜ｄ；９ｉ〜ｌ）を収容するための、さらに各支持キャスター（１４）を取付けるための、キャビティを備えた支持延長部を有すること、
を特徴とする請求項１〜５のいずれかに記載のスタンド。
【請求項７】
組み立てリテーナ（１０）とスタンドフット本体部（２）の双方、または各ウェイト（９）が、１０〜２５ｋｇを有すること、
を特徴とする請求項１〜６のいずれかに記載のスタンド。
【請求項８】
ウェイトがプライマーおよび／またはペイントで塗装されたネズミ鋳鉄、鋼鉄、真ちゅうまたは重金属から製造されていること、および／または
スタンドフット本体部がアルミニウムから製造されていること、
を特徴とする請求項１〜７のいずれかに記載のスタンド。
【請求項９】
ウェイト（９ａ〜ｄ；９ｉ〜ｌ）が組み立てリテーナー（１０ａ；１０ｄ）の対応するラグ（１１）と係合するラグ係合凹部（２１）を有し、これらラグ（１１）がプラスチック製であること、
さらに、ラグ係合凹部のうちの１つが円筒形の孔であり、他のラグ係合凹部が長円形の孔として構成されていること、
を特徴とする請求項１〜８のいずれかに記載のスタンド。
【請求項１０】
ウェイト（９）がスタンドフット本体部（２）および／または組み立てリテーナー（１０）に対して振動を減衰する部材を介して取り付けられていること、
を特徴とする請求項１〜９のいずれかに記載のスタンド。
【請求項１１】
スタンドフット本体部（２ｄ；２ｅ）がコラム（３）の軸線（８）を中心に回転対称に構成されており、
その中心にコラムの軸線（８）を中心に回転対称のコラム受容凹部（４）を有し、
クサビ状の突起またはクサビ（２６）が、該凹部のスタンドフット本体部の床方向の底部であって、かつ回転対称からずれた位置に形成され、
該クサビが、該クサビに対応して構成された対応するクサビ表面（２７）によって、挿入されているコラム（３）を、その自重により該凹部（４）のクサビ（２６）とは反対側の壁（２５）に押圧するようになっており、
コラムが該凹部（４）の支持壁（１９）を貫通する少なくとも１本のボルト（２４）によって該反対側の壁（２５）に確実にクランプできるようになっていること、
を特徴とする請求項１〜１０のいずれかに記載のスタンド。
【請求項１２】
組み立てリテーナー（１０ａ；１０ｄ）に少なくとも１つのウェイト（９ａ〜ｄ；９ｉ〜ｌ）を配置すること、
組み立てリテーナー（１０ａ；１０ｄ）にネジ切りされたステム（１２ａ；１２ｆ）をその上のほぼ中心に固定配置すること、
中空スタンドフット本体部（２ａ；２ｄ）を組み立てリテーナー（１０ａ；１０ｄ）およびウェイト（９ａ〜ｄ；９ｉ〜ｌ）上に戴置すること、
ネジ切りされたステム（１２ａ；１２ｆ）をスタンドフット本体（２ａ；２ｄ）の孔（６）に貫通させること、
さらに組み立てリテーナー（１０ａ；１０ｄ）を移動不能にスタンドフット本体部（２ａ；２ｄ）に結合するまで、ナット（７）を、スタンドフット本体部（２ａ、２ｄ）の孔（６）を貫通するネジ切りされたステム（１２ａ；１２ｆ）にねじ込むこと、
の各工程を含み、
スタンドフット本体部（２ａ，２ｂ）が、ナットをステムにねじ込むことにより組み立てリテーナー（１０ａ，１０ｄ）に向かって移動する間に、スタンドフット本体部（２ａ，２ｂ）のキャビティの境界を形成しウェイト（９ａ−ｄ；９ｉ−ｌ）に対面する２つの壁が該ウェイトと当接して該ウェイトを該組み立てリテーナー上の所望の位置へ移動させること、
を特徴とするスタンドを組み立てる方法。
【発明の詳細な説明】
【０００１】
【発明の属する技術分野】
本発明は、スタンド、特に顕微鏡用スタンドに関する。さらに具体的には本発明は、請求項１の上記概念に記載のスタンドに関し、より詳細には、例えば手術用スタンドに使用される顕微鏡スタンド、およびスタンドフットを組み立てる方法に関する。即ち、具体的には本発明は、コラムと、部屋内の床に載せるためのスタンドフットと、少なくとも１つのウェイトを取り付けたないし取り付け可能な少なくとも１つのスタンドフット本体部と、前記ウェイトを固定するための固定装置（手段）とを有するスタンドに関する。
【０００２】
【従来の技術】
ツァイス社の「Ｓ５」と表示されているこれらスタンドのうちの１つは、中空のスタンドフット本体を有し、このスタンドフット本体の下面からスタンドフット本体にウェイトを挿入でき、このウェイトを横方向の金属ストリップとボルトとによってスタンドフット本体のキャビティ（中空部）内に固定できるようになっている。これらウェイトはスタンドの転倒防止性能を改善するのに役立つようになっている。
【０００３】
【発明が解決しようとする課題】
この公知の構造の欠点は、ウェイトを設置した後の重量が重くなることである。これらウェイトは下面から設置しなければならないので、組み立て中にスタンドフットを裏返しにしなければならない。ウェイトを設置した後に、更に重くなったスタンドフットを再度元通りにするよう、元の状態に戻るよう回転させなければならない。このような作業は、数人の大きな労力または補助が得られる場合に限り行うことができる。従って、多数のウェイトに分割することによって得られる効果はこのようなタイプの組み付けによって一部が相殺されている。従って、このような作業は一人の人物が行うことのできる作業基準も越えている
【０００４】
よって、本発明の課題は、組立て中にスタンドフットの総重量が増加せず、組立て完了状態でスタンドフットをひっくり返す必要が全くない、改良されたスタンドフットシステムおよび組み立て方法を提供することにある。
【０００５】
【課題を解決するための手段】
請求項１の特徴事項を組み合わせることによって、このような主な課題を達成できる。即ち、冒頭に上位概念として記載したスタンドにおいて、本発明は、スタンドフットの、使用位置において床から離れる方向に向いた側から固定装置（手段）を操作できるよう構成することを特徴とする。即ち、本発明の第１の視点において、コラムと、部屋内の床に載せるためのスタンドフットと、スタンドフットの一部をなしかつ少なくとも１つのウェイトを取り付けたないし取り付け可能な少なくとも１つのスタンドフット本体部と、前記ウェイト（９）を固定するための固定手段とを有するスタンドであって、
該固定手段が、少なくとも１つのウェイトを保持する組み立てリテーナーと、使用位置において床に向いた側でスタンドフット本体部の、キャビティを閉じることができるようにする締結手段とを含み、該締結手段の操作部が該スタンドフット本体部の床から離れる方向に向いた側に配置されること、該組み立てリテーナーに少なくとも１つのウェイトを位置決めできること、該スタンドフット本体部が、少なくとも１つのキャビティを有する中空本体を備え、該少なくとも１つのキャビティを囲む、キャビティの境界を構成するための少なくとも２つの壁が、締結作業中にウェイトを位置決めするための２つの異なった壁面として構成されていること、を特徴とするスタンドが提供される。（形態１）
【０００６】
本発明の第２の視点において、スタンドを組み立てる方法が提供される。この方法は、組み立てリテーナーを利用できるようにすること、
該組み立てリテーナーに少なくとも１つのウェイトを大まかに位置決めすること、
組み立てリテーナーに移動不能に接合されたネジ切りされたステムをその上のほぼ中心にて利用できるようにすること、
中空スタンドフット本体を組み立てリテーナーおよびウェイトにスリップさせること、
ネジ切りされたステムスタンドフット本体の孔を貫通させて、スタンドフット本体のキャビティの境界を定める少なくとも２つの壁がウェイトを囲むようにすること、
さらに組み立てリテーナーを移動不能にスタンドフット本体へ接合し、もって同時に２つの壁がウェイトを組み立てリテーナーに正しく位置決めするまで、ナットをネジ切りされたステムにねじ込むこと、
の各工程を含むことを特徴とする。
より明瞭化して述べると、スタンド組み立て方法は、組み立てリテーナーに少なくとも１つのウェイトを配置すること、
組み立てリテーナーにネジ切りされたステムをその上のほぼ中心に固定配置すること、
中空スタンドフット本体部を組み立てリテーナーおよびウェイト上に戴置すること、
ネジ切りされたステムをスタンドフット本体の孔に貫通させること、
さらに組み立てリテーナーを移動不能にスタンドフット本体部に結合するまで、ナットを、スタンドフット本体部の孔を貫通するネジ切りされたステムにねじ込むこと、
の各工程を含み、
スタンドフット本体部が、ナットをステムにねじ込むことにより組み立てリテーナーに向かって移動する間に、スタンドフット本体部のキャビティの境界を形成しウェイトに対面する２つの壁が該ウェイトと当接して該ウェイトを該組み立てリテーナー上の所望の位置へ移動させること、
を特徴とする。（形態１２）
【０００７】
スタンドフットの下面以外の側から固定装置（手段）を操作できるという事実によって、上記のひっくり返す作業が不要となる。このことは、最初の組み立て中だけでなく、例えば運搬、使用および展示などのための別の組み立て作業の際にも有利である。
【０００８】
従属請求項から、従来の技術よりも更に統合され、有利なさらなる改善された解決案が明らかとなる。必要に応じ、各従属請求項の記載は、この部分に引照をもって繰り込まれているものとするが、以下に好ましい形態として示す。
（形態１）：前掲［０００５］に記載の通り。
形態２以下については次の通りである。
前記２つの壁のうちの少なくとも１つの壁の、ウェイトに向いた側でかつ、使用位置において床に向く側が、床に向かって円錐形に拡大するように構成されていること、および／または、
前記壁の少なくとも１つおよび／または組み立てリテーナーが弾性膜（２２ａ〜ｍ）によってコーティングされていることが好ましい。（形態２）
締結手段の操作部がスタンドフット本体部の床から離れる方向に向いた側に配置され、
該締結手段が、少なくとも１本のナット／ボルト接合手段を備え、この接合手段がスタンドフット本体を貫通し、スタンドフット本体を組み立てリテーナーにネジ接合可能にしていることが好ましい。（形態３）
多数のウェイトが設けられており、スタンドフット本体部の中心に、ナット／ボルト接合手段が配置され、かつ該中心と同心にウェイトが配置されていることが好ましい。（形態４）
ナット／ボルト接合手段が自動ロック構造体であるか、またはこれに回転ロックが設けられていることが好ましい。（形態５）
スタンドフット本体部が星形の支持アームを有する構造となっていること、
各アームが少なくとも１つのウェイトを収容するための、さらに各支持キャスターを取付けるための、キャビティを備えた支持延長部を有することが好ましい。（形態６）
組み立てリテーナとスタンドフット本体部の双方、または各ウェイトが、１０〜２５ｋｇを有することが好ましい。（形態７）
ウェイトがプライマーおよび／またはペイントで塗装されたネズミ鋳鉄、鋼鉄、真ちゅうまたは重金属から製造されていること、および／または
スタンドフット本体部がアルミニウムから製造されていることが好ましい。（形態８）
ウェイトが組み立てリテーナーの対応するラグと係合するラグ係合凹部を有し、これらラグがプラスチック製であること、
さらに、ラグ係合凹部のうちの１つが円筒形の孔であり、他のラグ係合凹部が長円形の孔として構成されていることが好ましい。（形態９）
ウェイトがスタンドフット本体部および／または組み立てリテーナーに対して振動を減衰する部材を介して取り付けられていることが好ましい。（形態１０）
スタンドフット本体部がコラムの軸線を中心に回転対称に構成されており、その中心にコラムの軸線を中心に回転対称のコラム受容凹部を有し、クサビ状の突起またはクサビが、該凹部のスタンドフット本体部の床方向の底部であって、かつ回転対称からずれた位置に形成され、該クサビが、該クサビに対応して構成された対応するクサビ表面によって、挿入されているコラムを、その自重により該凹部のクサビとは反対側の壁に押圧するようになっており、コラムが該凹部の支持壁を貫通する少なくとも１本のボルトによって該反対側の壁に確実にクランプできるようになっていることが好ましい。（形態１１）
（形態１２）：前掲［０００６］に記載の通り。
【０００９】
本発明にかかわる実施例を示す添付図面からの本発明の別の改良点および細部が明らかとなろう。これら図面は概略に図示されており、同じ参照番号は同一の部品を示す。構成が異なる可能性が有るが、機能的に同一の部品には、添え字を変えた同じ参照番号が付けられている。参照番号のリストは図面の説明と一体的な部分であり、特許請求の範囲の説明上の構成要素は、上記の明細書の導入部および／または後述の図面の説明と関連するものと見なす。
【００１０】
【発明の実施の形態】
図１から発明の好ましい実施例が明らかとなろう。使用位置にて床に載っている組み立てリテーナー１０ａには、４つの別々のウェイト（重し）９ａ〜ｄがラグ（係合突起）１１ａ〜ｄおよびウェイト９ａ〜ｄ内に設けられた相補的部分のラグリセス（ラグ係合凹部、図５の２１ａ〜ｈ参照）によってあらかじめ位置決めされている。ウェイト９ａ〜ｄの正確な位置決めおよび固定は、これらウェイト９ａ〜ｄがはめ込まれる対応するキャビティを有するスタンドフット（足部）本体２ａを所定位置にセット（載置）することによって行われる。スタンドフット本体２ａは、その中心に凹部（中心孔部）４ａを有し、この凹部（中心孔部）４ａの底部５ａを孔６ａが貫通している。孔６ａにはネジ切りされたロッド１２ａが嵌合されるようになっており、このロッドは、例えばネジ結合、プレス加工または溶接によってベースプレート１０ａに動かないように接合されている。動かないようにするために、スタンドフット本体に対して組み立てマウント１０ａがウェイト９ａ〜ｄによって補強されるまで、このネジ切りされたロッド１２ａにナット７が螺合される。従って、スタンドフット本体のキャビティ（単数または複数）の境界を構成する壁によってウェイト９ａ〜ｄの正確な位置決めが行われる。この正確な位置決めを実現するために、特に、円錐状に形成した壁が形成される。
【００１１】
スタンドフット１ａは凹部（中心孔部）４ａ内に係止できるコラム（柱状部材）３ａを受けるようにも働く。スタンドフット１ａは運搬用キャスター１４（図１には示されず）だけでなく、２つのブレーキも支持しており、図１にはこの２つのブレーキのブレーキペダル１３ａ、ｂが示されている。
【００１２】
図２に示された変形例もスタンドフット本体２ｂを有し、このスタンドフット本体は４本のアーム状のスタンドフット本体部分から製造されている。各部分はウェイトを収容するためのキャビティを有し、各部分はネジ切りされたロッド１２ｂ〜ｅによってキャビティ内に収容されたウェイトと共に上部から、図１に示された構造と同一または同じように組立体リテーナー１０ｂにネジ結合（螺合）されている。
【００１３】
その変形例として、ボルトはウェイト９ｅ〜ｈを貫通でき、組み立て完了位置では床２８に対してほぼ水平に位置できる。これにより、部屋の側からアクセス（操作）することができ、他方、ウェイトの上面の、ゴミの入る面積が少なくなる。
【００１４】
従って、本発明により望まれる効果も得られ、上記のことから組み立てを行うことができる。当然ながら、スタンドフット本体２ｂの構造は一体的でもよい。図２の表示目的は本発明により多数のボルトを使って組み立てリテーナーにスタンドフット本体を接合することもできることを示すことにある。
【００１５】
スタンドフット本体を貫通するよう、組み立てリテーナー内へ、その頂部から底部へ１本のボルトをねじ込み、オプションとしてそれぞれのウェイトも貫通できるようにする変形例も、本発明の範囲内にあることを指摘したい。その他タイプの固定手段、例えば横方向にスライドされるクランプまたは同等品も本発明の範囲内にあるが、図示した変形例が好ましい。
【００１６】
図２は図５と対照的に、例えばキャスター１４ａ〜ｄを直接スタンドフット本体２ｂに接合しないよう、本発明により運搬用キャスター１４ａ〜ｄを組み立てリテーナー１０ｂに接合できる可能性も示している。
【００１７】
図３は、ウェイトがキャビティに収容されず、スタンドフット本体２ｃに横方向においてボルト締めされた別の変形例を示す。この変形例はウェイト９ｅ〜ｈの間にギャップが残るので、外科用顕微鏡スタンドを殺菌することに関連した理由から好ましくない。しかしながら、クリティカルな部分の面積が狭いためにこのような簡単な構造は有利に利用できる。このような構造ではウェイト９ｅ〜ｈをスタンドフット本体２ｃに直接ボルト締めすることにより、組み立てリテーナーを用いることなく使用することが可能である。このような構造では（単に記号のみで表示されている）ネジ切りされたロッド１２ｂ〜ｅまたはボルトをスタンドフット本体２ｃ内に斜めに螺合するか、またはこのスタンドフット本体から斜めに突出させてもよい。
【００１８】
図４は、図３の構造を斜め方向から示す。
図５および６に示されたスタンドフットの構造は好ましい実施例である。
【００１９】
既に説明した事項に加え、ラグ凹部（ラグ係止凹部）２１ａ〜ｈを備えたウェイトの特別な形状は明らかである。これらラグ用凹部は当然ながら実施可能な場合には正確な位置決めができるように、自由度をより大きくするよう、異なる形状とすることができる。ラグ凹部２１ａ〜ｈに対してラグ（突起）１１ｅ〜ｌが対向しており、これらラグは外観がリベット状となっており、プラスチックから製造することが好ましい。これらラグは組み立てリテーナー１０ｄの孔に係止される。このようにラグをプラスチックとする利点は、例えば耐食性材料製ではないウェイトによって摩耗する恐れが少なくなることにある。特定の実施例によれば、かかるウェイトはプライマー、またはペイントを塗布することが好ましいが、それにもかかわらず、特にラグと係合するポイントでは摩耗が生じ、これによって腐食材料に触れる可能性がある。このことはプラスチックによって効果的に防止できる。
【００２０】
これとは別に、組み立て状態においてウェイト９ｉ〜ｌの下面と組み立てリテーナー１０ａの上面とを離間させ、よってウェイト９ｉ〜ｌがラグ１１ｅ〜ｌに載るように、ラグとラグ用凹部（中心孔部）とを構成することも可能である。
【００２１】
これとは別の変形例として、ウェイトの下面と組み立てリテーナーの上面との間に発泡体のストリップ（帯材）を挿入し、ウェイトのすべての面を機械的な摩耗から保護することも可能である。これと同時にウェイトは減衰された振動を受けることにもなる。
【００２２】
運搬用キャスター１４ｄ、ｃは従来のキャスターである。
凹部４ｄはその支持壁１９ａの領域内に少なくとも１つのネジ切りされた孔２０ａ、ｂを有し、この孔はボルト（図示せず）と共にコラム３ａ（図示せず）（図５、７）を固定するようになっている。
【００２３】
図５および６に示される構造体は特別な特徴事項として、ねじ込まれるようにネジ切りされたロッド１２ｆを有し、このロッドは組み立てリテーナー１０ｄに向いた端部に六角ナットを有し、この六角ナットによってロッドを組み立てリテーナー１０ｄにねじ込むことができるようになっている。安全上、この領域はカバープレート２３によってカバーできる。
【００２４】
図６は、例として発泡体ストリップ２２ａ〜ｍを示し、これら発泡体ストリップはそれぞれのキャビティの境界を定めるスタンドフット本体２ｄの壁に張り付けられ、組み立て完了状態ではウェイト９ｉ〜ｌがキャビティ内で揺動せず、かつダンピングされた状態で嵌合されることを保証する。従って、これら発泡体ストリップは間隙の補償も行う。
【００２５】
更に、使用することが好ましい斜面、すなわちクサビ２７および記号表示されたボルト２４も示されているが、これらについては図７を参照してより詳細に説明する。
【００２６】
図７の特定の細部は凹部４ｅ内の底部５ｃの領域にクサビ２６を有するスタンドフット本体２ｅの一部を示す。このクサビ２６はその斜面２７によって挿入されたコラム３ｂに対し横方向のスライド力を加えるので、コラムはクサビに対向して位置する凹部４ｅの壁２５に対するスライド力によって確実に押圧される。この壁は作動位置では床に対して垂直であるので、コラムはその直径に公差があるにもかかわらず、垂直にも配置される。よって準センタリング効果が得られる。このコラムの中心は（凹部４ｅおよびコラム３ｂの公差の範囲内で）スタンドフットの中心から若干ずらすことができる。このスタンドは２７の領域内に斜面を有していてもよいが、これは必須のものではない。
【００２７】
本発明に係わる他のスタンドフット構造と独立して使用することもできるこのような構造の利点は、１本のクランピングボルト２４だけでスタンドを容易に取り付けでき、それにもかかわらずスタンドを安全にセンタリングできることである。
【００２８】
本発明の特定の実施例によれば、スタンドフット本体２内の凹部４は摩耗から保護される。これは例えばアルミ製のスタンドフット本体の凹部内にスチール製のブッシングを設けることによって達成できる。
【００２９】
組み立てのためにボルト（図示せず）を使って図５に示されているプレート５ｂをスタンドフット本体２ｄに取り付けてもよい。このような変形例は図８に示されており、このケースではプレート５ｂは下方からは設置されず、上方からスタンドフット本体の底部の壁に設けた半径方向内方への突出部へ載置されボルト１２ｆに螺合するナット７により固定される。また、ボルト１２ｆの下端部はナットによって組み立てリテーナー１０ｄに保持される。カバープレート２３はボルト１２ｆが落下しないよう確保する。このようにして組み立てリテーナー１０ｄは、プレート５ｂとボルト１２ｆを介してスタンドフット本体２ｄに固定されるようになっている。本例ではラグ１１ｉはキノコ状であり、プラスチック製である。
【００３０】
すべての図面では、組み立てリテーナーはベースプレートとして示されているが、ベースプレートが設けられておらず、断面がシャックル状である組み立てリテーナーにウェイトを取り付けでき、よってこれらウェイトは組み立て状態では組み立てリテーナー上に載らず、むしろこのリテーナーから吊り下がるような変形例も本発明は含む。
【００３１】
この変形例と別の変形例では、ベースプレートもシャックル状の組み立てリテーナーも存在しない。これら別の変形例では、スタンドフット本体または同等品にウェイトのための支持延長部が設けられ、ウェイトはフット本体にネジ接合される。かかる支持延長部は、例えば図４においてベースプレート１０ｂの代わりであると想像できよう。これら支持延長部はそれらの下方エッジにてフット本体２ｃに接合され、よって図示された実施例と同じようにウェイト９ｅ〜ｈを支持することになる。
【００３２】
【発明の効果】
本発明の基本構成（請求項１）により、組立て中にスタンドフットの総重量が増加せず、組立て完了状態でスタンドをひっくり返す必要が全くない、改良されたスタンドフットが得られる。
本発明の第２の視点によれば、同様な効果が所定の組み立て方法（請求項１４）によって、達成される。
本発明の各従属請求項の特徴により、夫々さらに、実施の形態において詳述したとおりの、具体的な利点が付加される。
【図面の簡単な説明】
【図１】  組み立て前の、本発明に係わるスタンドの一実施例を示す分解斜視略図である。
【図２】  図１の構造の変形例を示す斜視図である。
【図３】  図１の構造の更に別の変形例を示す平面図である。
【図４】  図３の構造を示す斜視図である。
【図５】  図１の構造の具現化された変形例を示す、スタンドフット本体を通る横方向の部分断面図である。
【図６】  図５の構造を示す平面図である。
【図７】  図５の構造体の変形例の詳細を示す、一部切り欠き断面図である。
【図８】  図５の詳細な変形例を示す一部断面図である。
【図９】  隣接する星形アームの間の、図８のスタンドフット本体の壁を通る断面図である。
上記図面は概略図示されており、同一の参照番号は同一の部品を示し、添え字の異なる同一の参照番号は、目的が同一であるが構造が若干異なる部品を示す。これら図面は発明を限定するものでなく、単に本発明の実施例を示すに過ぎない。
【符号の説明】
１  ａ、ｂ、ｃ、ｄ、ｅ      スタンドフット
２  ａ、ｂ、ｃ、ｄ、ｅ      スタンドフット本体（部）
３  ａ、ｂ                  コラム
４  ａ、ｂ、ｃ、ｄ、ｅ      （コラム受容）凹部（中心孔部）
５  ａ、ｂ、ｃ              凹部の底部
６  ａ、ｂ、ｃ              孔
７                          ナット
８                          コラム軸線
９  ａ〜ｄ、ｅ〜ｈ、ｉ〜ｌ  ウェイト
１０  ａ、ｂ、ｃ、ｄ          組み立てリテーナー
１１  ａ〜ｄ、ｅ〜ｌ          ラグ（係合突起）
１２  ａ、ｂ〜ｅ、ｆ          ネジ切りされたロッド
１３  ａ〜ｂ、ｃ              ブレーキペダル
１４  ａ〜ｄ                  運搬用キャスター
１５                          キャスターベース
１６                          ボルト
１７                          押圧嵌合部またはネジ切り嵌合部
１８                          ブレーキパッド
１９  ａ、ｂ                  支持壁
２０  ａ、ｂ、ｃ              ネジ切りされた孔
２１  ａ〜ｈ                  ラグ凹部（ラグ係止凹部）
２２  ａ〜ｍ                  発泡体ストリップ
２３                          カバープレート
２４                          クランプネジ
２５                          壁
２６                          クサビ
２７                          斜面
２８                          床
【図１】
0004906992.tif 000002
【図２】
0004906992.tif 000003
【図３】
0004906992.tif 000004
【図４】
0004906992.tif 000005
【図５】
0004906992.tif 000006
【図６】
0004906992.tif 000007
【図７】
0004906992.tif 000008
【図８】
0004906992.tif 000009
【図９】
0004906992.tif 000010